(57)【要約】【課題】貯留タンクに貯留した水道水を活性炭カートリッジに還流通過させた後、中空糸膜カートリッジでろ過する浄水方法において、ポンプの電力費を最小限に抑制し、還流水の水温上昇による中空糸膜のバイオファウリングの進行を抑制できると同時に、水道水中の色度成分を良好に除去し、中空糸膜カートリッジの寿命を延ばすことが可能な浄水器および浄水方法を提供する。【解決手段】貯留タンクに貯留した水道水を活性炭カートリッジに還流通過させた後、中空糸膜カートリッジでろ過する浄水方法において、活性炭カートリッジ入口側に吸光光度法によって色度を検知する色度センサーを設置し、所定の色度以下になるまで還流を継続し、所定の色度以下になると還流を停止させる。【選択図】図１
2006159018.tif 000002
【特許請求の範囲】
【請求項１】
貯留タンクに貯留した水道水を活性炭カートリッジに還流通過させた後、中空糸膜カートリッジでろ過する浄水方法において、活性炭カートリッジ入口側に設置した吸光光度法によって色度を検知する色度センサーを用いて、所定の色度以下になるまで活性炭カートリッジへの還流を継続し、所定の色度以下になり、還流を停止した後に中空糸膜カートリッジでろ過することを特徴とする浄水方法。
【請求項２】
還流中に貯留タンク内に貯留された水道水が活性炭カートリッジに接触させる累積時間をＫ（ｍｉｎ）、活性炭カートリッジの活性炭充填容積をＶ０（Ｌ）、貯留タンク内の水容積をＶ１（Ｌ）と表記した場合に、還流時間がＫ(Ｖ０＋Ｖ１)／Ｖ０（ｍｉｎ）経過しても所定の色度以下に達しなかったとき、活性炭カートリッジを交換することを特徴とする請求項１に記載の浄水方法。
【請求項３】
中空糸膜カートリッジの一次圧がある値に達したとき、中空糸膜カートリッジを交換することを特徴とする請求項１または２に記載の浄水方法。
【請求項４】
中空糸膜カートリッジのろ過流量を定流量に制御することを特徴とする請求項１〜３のいずれかに記載の浄水方法。
【請求項５】
水道水が貯留タンクに流入され、貯留タンクの水位がある高水位に達した時点で水道水の貯留タンクへの流入が自動的に停止すると同時に、貯留タンクの出口側に設けられたポンプが自動的に作動することで、活性炭カートリッジへの還流通過が開始し、還流中に色度センサーによって活性炭カートリッジ入口側が所定の色度以下であることを検知すると、前記ポンプが自動的に作動停止すると同時に、活性炭カートリッジへの還流ラインが閉となり、中空糸膜カートリッジへのろ過ラインが開となることを特徴とする請求項１〜４のいずれかに記載の浄水方法。
【請求項６】
水道水が貯留タンクに流入している時間および前記ポンプが自動的に作動している時間は浄水器本体に浄水準備中と表示し、前記ポンプが自動的に作動停止した時点で浄水完了と表示することを特徴とする請求項５に記載の浄水方法。
【請求項７】
浄水完了の表示中に前記ポンプを作動させ、貯留タンクの水道水を中空糸膜カートリッジでろ過し、系外に排出する過程で貯留タンクの水位がある低水位に達したとき、浄水完了から浄水準備中へと表示が変更し、前記ポンプが自動的に停止し、水道水の貯留タンクへの流入を開始すると同時に、活性炭カートリッジへの還流ラインが開となり、中空糸膜カートリッジへのろ過ラインが閉となることを特徴とする請求項５または６に記載の浄水方法。
【請求項８】
水道給水栓と直結する供給弁と、貯留タンクと、貯留タンクの水位を制御する水位センサーと、ポンプと、活性炭カートリッジと、中空糸膜カートリッジと、吸光光度法によって色度を検知する色度センサーとを備えた浄水器であって、貯留タンクの水道水をポンプで活性炭カートリッジに通過させて貯留タンクに還流するか、中空糸膜カートリッジでろ過するかの切り替えが可能な弁を設けたことを特徴とする浄水器。
【請求項９】
吸光光度法によって色度を検知する色度センサーの光源がピーク波長３８５ｎｍ以上３９５以下の紫外線発光ダイオードであることを特徴とする請求項８に記載の浄水器。
【請求項１０】
貯留タンク内に貯留された水道水が活性炭カートリッジに接触させる累積時間をＫ（ｍｉｎ）、活性炭カートリッジの活性炭充填容積をＶ０（Ｌ）、貯留タンク内の水容積をＶ１（Ｌ）と表記した場合に、還流時間が  Ｋ(Ｖ０＋Ｖ１)／Ｖ０（ｍｉｎ）経過しても所定の色度以下に達しなかったとき、活性炭カートリッジの交換を告知する手段を設けていることを特徴とする請求項８または９に記載の浄水器。
【請求項１１】
中空糸膜カートリッジの前段に圧力センサーを設けて、圧力を測定し、ある圧力に達したとき、中空糸膜カートリッジの交換を告知する手段を設けていることを特徴とする請求項８〜１０のいずれかに記載の浄水器。
【請求項１２】
中空糸膜カートリッジの前段に定流量弁を設けたことを特徴とする請求項８〜１１のいずれかに記載の浄水器。
【発明の詳細な説明】
【技術分野】
【０００１】
本発明は、活性炭および中空糸膜を用いた浄水器および浄水方法に関する。
【背景技術】
【０００２】
近年、水道蛇口からの水道水に対して、水中のトリハロメタンや塩素等を活性炭で除去し、水中の鉄錆や細菌等を中空糸膜で除去することで、水道水をより安全でおいしい水に変換する浄水器が開発されてきている。これらの浄水器は活性炭や中空糸膜等のカートリッジを有しているが、フミン質に由来する色度成分が水道水中に多く含有している場合、中空糸膜の目詰まりの進行が早く、長期間所定の水量を確保することが困難であった。また、水量を確保するためには、カートリッジの交換頻度が多くなってしまう欠点を有していた。この解決手段として、カートリッジ内の活性炭充填量を多くし、水道水の活性炭との接触時間を長くする方法が考えられる。これによりフミン質に由来する色度成分の大部分が活性炭に吸着除去され、中空糸膜への負荷が低減される。ところが、この方法では、活性炭充填量を多くする分、カートリッジが大きくなってしまい、その結果、浄水器の設置スペースが大きくなる欠点を有していた。
【０００３】
そこで、例えば、特許文献１、２のように、水道水をタンク内に一時貯留させた後、活性炭を含有するカートリッジ内にポンプを介して還流させる方法は、水道水と活性炭との接触時間が長くなり、少量の活性炭でも水道水の色度成分を効率的に除去できる。
【０００４】
しかしながら、上記特許文献に記載の還流手段はミネラル添加を主目的としており、水道水中のカートリッジ内には活性炭の他にミネラル成分を溶出する麦飯石等が含まれている。ミネラル成分を添加する必要が無く、色度成分が多く含まれている水道水においては、カートリッジ内の充填物質は活性炭のみでよい。
【０００５】
この場合、水道水の色度成分の濃度や水道水を一時貯留するタンクの容量やカートリッジ内の活性炭充填量等の条件によって、適切な還流時間が異なる。還流時間を必要以上に長く設定すれば、ポンプの電力費が大きくなってしまう。また、ポンプの発熱により還流水の水温が上昇するため、貯留タンク内の水道水は細菌で汚染されやすくなり、不衛生であるし、後段の中空糸膜のバイオファウリングが進行しやすくなる。一方、還流時間を短く設定しすぎれば、水道水の有機成分、色度成分を十分に除去できず、後段の中空糸膜の目詰まりが著しく進行してしまう。
【０００６】
さらに、活性炭は累積通水量が増加するに伴って吸着能力が低下していくことから、色度成分を十分に除去するには、還流時間を徐々に長くしていく必要があった。
【特許文献１】特開平８−７１５７０号公報
【特許文献２】特開平８−７１５７１号公報
【発明の開示】
【発明が解決しようとする課題】
【０００７】
本発明は、従来技術の上述した問題点を解決し、色度を検知する色度センサーを用いて適切な還流時間を制御することで、水道水を良好な水質に浄化できるとともに、中空糸膜カートリッジの交換頻度およびポンプの電力費を抑制できる浄水器および浄水方法を提供することを目的とするものである。
【課題を解決するための手段】
【０００８】
上記目的を達成するため、本発明は以下の構成を採用する。
【０００９】
すなわち、貯留タンクに貯留した水道水を活性炭カートリッジに還流通過させた後、中空糸膜カートリッジでろ過する浄水方法において、活性炭カートリッジ入口側に設置した吸光光度法によって色度を検知する色度センサーを用いて、所定の色度以下になるまで活性炭カートリッジへの還流を継続し、所定の色度以下になり、還流を停止した後に中空糸膜カートリッジでろ過することを特徴とする浄水方法である。
【００１０】
このとき、貯留タンクに貯留した水道水を所定の時間活性炭に接触させても所定の色度以下に低下していない場合、活性炭の吸着能力が著しく低下しているとみなし、活性炭カートリッジを交換させるという観点から、還流中に貯留タンク内に貯留された水道水が活性炭カートリッジ４に接触させる累積時間をＫ（ｍｉｎ）、活性炭カートリッジの活性炭充填容積をＶ０（Ｌ）、貯留タンク内の水容積をＶ１（Ｌ）と表記した場合、還流時間がＫ(Ｖ０＋Ｖ１)／Ｖ０（ｍｉｎ）経過しても所定の色度以下に達しなかったとき、活性炭カートリッジを交換することが好ましい。そして、中空糸膜カートリッジの一次圧がある値に達したとき、中空糸膜カートリッジを交換することや、中空糸膜カートリッジのろ過流量を定流量に制御することが好ましい。
【００１１】
さらに、水道水が貯留タンクに流入し、貯留タンクの水位がある高水位に達した時点で、水道水の貯留タンクへの流入が自動的に停止すると同時に、貯留タンクの出口側に設けられたポンプが自動的に作動することで活性炭カートリッジへの還流通過が開始し、色度センサーによって活性炭カートリッジ入口側が所定の色度以下であることを検知すると、前記ポンプが自動的に作動停止すると同時に、活性炭カートリッジへの還流ラインが閉となり、中空糸膜カートリッジへのろ過ラインが開となることや、水道水が貯留タンクに流入している時間および前記ポンプが自動的に作動している時間は浄水器本体に浄水準備中と表示し、前記ポンプが自動的に作動停止した時点で浄水完了と表示することや、浄水完了の表示中に前記ポンプを作動させ、貯留タンクの水道水を中空糸膜カートリッジでろ過し、系外に排出する過程で貯留タンクの水位がある低水位に達したとき浄水完了から浄水準備中へと表示が変更し、前記ポンプが自動的に停止し、水道水の貯留タンクへの流入を開始すると同時に、活性炭カートリッジへの還流ラインが開となり、中空糸膜カートリッジへのろ過ラインが閉となることが好ましい。
【００１２】
また、本発明は、水道給水栓と直結する供給弁と、貯留タンクと、貯留タンクの水位を制御する水位センサーと、ポンプと、活性炭カートリッジと、中空糸膜カートリッジと、吸光光度法によって色度を検知する色度センサーとを備えた浄水器であって、貯留タンクの水道水をポンプで活性炭カートリッジに通過させて貯留タンクに還流するか、中空糸膜カートリッジでろ過するかの切り替えが可能な弁を設けたことを特徴とする浄水器である。
【００１３】
このとき、吸光光度法によって色度を検知する色度センサーの光源がピーク波長３８５ｎｍ以上３９５以下の紫外線発光ダイオードであることが好ましく、貯留タンク内に貯留された水道水が活性炭カートリッジ４に接触させる累積時間をＫ（ｍｉｎ）、活性炭カートリッジの活性炭充填容積をＶ０（Ｌ）、貯留タンク内の水容積をＶ１（Ｌ）と表記した場合に、還流時間がＫ(Ｖ０＋Ｖ１）／Ｖ０（ｍｉｎ）経過しても所定の色度以下に達しなかったとき、活性炭カートリッジの交換を告知する手段を設けることが好ましい。そして、中空糸膜カートリッジの前段に圧力センサーを設けて、圧力を測定し、ある圧力に達したとき、中空糸膜カートリッジの交換を告知する手段を設けたり、中空糸膜カートリッジの前段に定流量弁を設けたほうが好ましい。
【発明の効果】
【００１４】
本発明は、貯留タンクに貯留した水道水を活性炭カートリッジに還流通過させた後、中空糸膜カートリッジでろ過する浄水方法において、活性炭カートリッジ入口側に吸光光度法によって色度を検知する色度センサーを設置し、所定の色度以下になるまで還流を継続し、所定の色度以下になるとポンプが自動停止し、還流を停止することで、ポンプの電力費を最小限に抑制し、還流水の水温上昇による中空糸膜のバイオファウリングの進行を抑制できると同時に、水道水中のフミン質に由来する色度成分を良好に除去し、中空糸膜カートリッジの寿命を延ばすことができる。
【発明を実施するための最良の形態】
【００１５】
以下、図面に示す実施態様に基づいて本発明をさらに説明する。
【００１６】
図１は、本発明に好ましく用いられる浄水器の一実施態様を示す概略フロー図である。本発明の浄水器は、例えば、図１に示すように、水道給水栓１２と直結しており、水道水を原水（被処理水）として一旦貯留する貯留タンク１と、水道水を水道給水栓１２から貯留タンク１に供給するときに開となる供給弁２と、貯留タンク１の水位を検出する水位センサー３と、貯留タンク１の水道水の有機成分、色度成分を吸着除去するための活性炭カートリッジ４と、貯留タンク１の水道水を活性炭カートリッジ４、ないしは中空糸膜カートリッジ６に通過させるための動力であるポンプ５と、活性炭カートリッジ４に還流通過し、有機成分、色度成分を吸着除去した後の水道水に含まれている鉄錆や細菌等を除去するための中空糸膜カートリッジ６と、貯留タンク１の水道水を活性炭カートリッジ４に還流通過させるか、中空糸膜カートリッジ６でろ過するかの切り替えを可能とする切り替え弁７、８と、中空糸膜カートリッジ６の一次圧を測定するための圧力センサー９と、中空糸膜カートリッジ６のろ過水を一定に制御するための定流量弁１０、貯留タンク１の水道水の色度を検知するための色度センサー１１とが設けられている。
【００１７】
ここで、活性炭カートリッジ４としては、例えば、円筒状の容器に活性炭を充填したものであり、使用する活性炭は、特に制限されるものではなく、形状は、粉末、粒状、繊維状等のいずれでも構わないが、カートリッジ外へ漏出しないよう留意する必要がある。また、原材料は椰子殻、木、石炭、石油コークス等のいずれでも構わない。
【００１８】
中空糸膜カートリッジ６は、例えば、円筒状の容器に中空糸膜を充填したものであり、使用する中空糸膜は、多孔質であり、種類は、鉄錆や細菌等の阻止が可能な精密ろ過膜や限外ろ過膜であれば、特に制限されるものではなく、材質はポリエチレン、ポリスルホン、ポリエーテルスルホン、ポリビニルアルコール、ポリフッ化ビニリデン等のいずれでも構わない。
【００１９】
色度センサー１１の構造を図２に示す。上水試験方法では、色度を吸光光度法で測定する場合、波長３９０ｎｍ付近の紫外線をセルに入射することとなっている。なお、本発明で規定する色度とは、社団法人日本水道協会発行の上水試験方法２００１年度版に記載されている色度標準液を指標としており、また、吸光光度法とは、ピーク波長３８５ｎｍ〜３９５ｎｍの紫外線を透過する材質でできた透明配管にサンプルを通水した状態で、ピーク波長３８５ｎｍ〜３９５ｎｍの紫外線を透明配管に照射し、透明配管およびサンプルを通過後の紫外線を受光素子で受光し、その受光量から色度を算出する方法である。あらかじめ、中空糸膜カートリッジ６の寿命に悪影響を及ぼさない所定の色度溶液を前記色度標準液で作製し、透明配管に通水した時の受光量を受光素子で測定する。その受光量を活性炭カートリッジ４に還流通過させるか、中空糸膜カートリッジ６でろ過するかの切り替え基準とする。
発光ダイオード１４はタングステンランプより波長分布が短く、特定の波長の光を出すので、不要な波長の光を除くための回折格子や偏光フィルターは不要であり、測定に都合が良い。また、消費電力が少なく、構造も単純であることから、色度センサー１１の光源は、ピーク波長３８５ｎｍ以上３９５ｎｍ以下の紫外線発光ダイオードであることが好ましい。透明配管１３の材質は波長が３９０ｎｍ付近なので高価な石英を使用する必要はなく、安価なガラスやポリスチレン等でよい。また透明配管の断面は紫外線が屈折や散乱しなければ円形、方形どちらでもよい。光はスリット１６を通過することで、透明配管の水流と垂直方向に照射され、再びスリット１６を通過した後、受光素子１５で検知される。受光素子１５はフォトダイオードやフォトトランジスター等を使用する。
【００２０】
上述の浄水器において、浄水は次のように実施される。まず、貯留タンク１内の水位センサー３が水位Ｌ以下を検知した場合、信号が送られ、自動的に供給弁２が開となって水道水の貯留タンク１への流入が開始すると同時に、切り替え弁７が開となって、活性炭カートリッジ４への還流ラインが開となり、切り替え弁８が閉となって、中空糸膜カートリッジ６のろ過ラインが閉となる。また水位がＬ以下の場合、ポンプ５は空運転防止のため、自動的に停止状態となっている。供給弁２が開となった瞬間、水道水が貯留タンク１内に流入し、次第に水位がＨに達する。水位センサー３が水位Ｈ以上を検知した場合、信号が送られ、自動的に供給弁２が閉となり、水道水の貯留タンク１への流入が停止すると同時に、ポンプ５が自動的に作動する。ポンプ５が自動的に作動することで活性炭カートリッジ４への還流通過が開始する。
【００２１】
貯留タンク１の水道水は活性炭カートリッジ４に還流通過するにつれて、色度成分が除去され、色度センサー１１の透明配管を通過する光量は徐々に増加していく。
【００２２】
色度センサー１１は受光素子１５がある光量以上を検知した場合、すなわち、中空糸膜カートリッジ６の寿命に悪影響を及ぼさない所定の色度以下を検知した場合、信号が送られ、ポンプ５が自動的に作動停止すると同時に、切り替え弁７が閉、切り替え弁８が開となる。すなわち、活性炭カートリッジ４への還流ラインが閉となり、中空糸膜カートリッジ６のろ過ラインが開となる。浄水器本体には、水道水が貯留タンク１に流入している時間およびポンプ５がタイマーにより自動的に作動している時間は浄水器本体に浄水準備中と表示し、タイマーが切れて、ポンプ５が自動的に作動停止した瞬間、浄水器本体に浄水完了と表示される。浄水完了の表示期間中、ポンプ５の作動ボタンを押し、自由にポンプを作動させることで、活性炭カートリッジ４通過後の水道水が中空糸膜カートリッジ６でろ過され、上質の飲料水が系外に排出される。なお、上記作動ボタンは浄水完了の表示期間中のみ働き、浄水準備中の表示期間中はボタンを押してもポンプ５は作動しない。
【００２３】
上質の飲料水が系外に排出されるに従い、貯留タンク１内の水位は徐々に低下していき、水位センサー３が水位Ｌ以下を検知した瞬間、浄水完了から浄水準備中へと表示が変更し、上記のプロセスに戻る。
【００２４】
上記のプロセスを繰り返す過程で、活性炭カートリッジ４の活性炭の色度成分吸着量が増加していき、次第に吸着能力が低下するため、還流開始から色度センサー１１の受光素子１５がある光量以上を検知するまでの時間が長くなっていく。
【００２５】
貯留タンク内に貯留された水道水が活性炭カートリッジ４に接触させる累積時間をＫ（ｍｉｎ）、活性炭カートリッジの活性炭充填容積をＶ０（Ｌ）、貯留タンク内の水容積をＶ１（Ｌ）と表記し、還流時間がＫ(Ｖ０＋Ｖ１)／Ｖ０（ｍｉｎ）経過しても所定の色度以下に達しなかったときは、活性炭の吸着能力がなくなったとみなし、活性炭カートリッジ４を交換するよう告知する手段を設けたほうが好ましい。ここで、還流中に貯留タンク内に貯留された水道水が活性炭カートリッジ４に接触させる累積時間とは、還流される水道水の流れを押し出し流れと仮定した場合における、水道水が活性炭カートリッジ４を通過する累積時間を意味する。なお、還流時間であるＫ(Ｖ０＋Ｖ１)／Ｖ０（ｍｉｎ）は以下の通り算出した。
【００２６】
ポンプの流量をＡ（Ｌ／ｍｉｎ）とすると、貯留タンク１内の水全てを活性炭カートリッジに１回還流通過させるのにかかる時間は（Ｖ０＋Ｖ１）／Ａ（ｍｉｎ）であり、水道水が活性炭カートリッジ４の入口から出口へと通過するのにかかる時間（活性炭との接触時間）はＶ０／Ａ（ｍｉｎ）であることから、貯留タンク内に貯留された水道水を活性炭カートリッジ４にＫ（ｍｉｎ）接触させるには、ＫＡ／Ｖ０（回）還流通過させる必要があり、そのときにかかる還流時間は｛（Ｖ０＋Ｖ１）／Ａ｝×｛ＫＡ／Ｖ０｝＝Ｋ（Ｖ０＋Ｖ１）／Ｖ０となる。Ｋは活性炭カートリッジ４内の活性炭の吸着性能に応じて適宜設定し、還流を停止する基準となる色度は、中空糸膜カートリッジ６の一次圧が安定するような色度に設定することが好ましく、中空糸膜カートリッジ６の膜性能に応じて適宜設定する。
【００２７】
また、中空糸膜カートリッジ６の前段には定流量弁１０を設けており、定流量ろ過運転を行っているが、上記のプロセスを繰り返す過程で、中空糸膜カートリッジ６内の中空糸膜に不純物捕捉量が増加していき、次第に中空糸膜カートリッジ６の一次圧が上昇していく。中空糸膜カートリッジ６の前段には圧力センサー９が設けられており、一次圧がある圧力に達したとき、中空糸膜カートリッジ６を交換するよう告知する手段を設けたほうが好ましい。交換する目安となる一次圧は、ポンプ５の吐出能力や中空糸膜カートリッジ６のろ過流量、中空糸膜カートリッジ６の耐圧能力等から適宜設定しておく。
【実施例】
【００２８】
（実施例１）
図１に示す浄水器を用いて、色度４度の水道水を毎日１５Ｌ浄化して系外に排出した。活性炭カートリッジ４の活性炭充填容積Ｖ０は０．５L、貯留タンク内の水容積Ｖ１は５L、ポンプの還流流量は１５Ｌ／ｍｉｎとした。
【００２９】
色度センサー１１は光源にピーク波長が３９５ｎｍの紫外線発光ダイオード（台湾ＳＡＮＤＥＲ、ＳＤＬ−５Ｎ３ＣＵＶ−Ａ）を使用し、受光素子にシリコンフォトダイオード（浜松ホトニクス、Ｓ１２２６−１８ＢＵ）を使用した。事前に色度２の色度標準液を透明配管に通水したときのシリコンフォトダイオードの電流値を測定し、その電流値（０．０９ｍＡ）以上に達したときに活性炭カートリッジ４への還流通過を自動停止することとした。
【００３０】
活性炭カートリッジ４は椰子殻を原料とした粒状活性炭（クラレケミカル、ＧＷシリーズ）を使用し、その吸着性能から貯留タンク内の水道水が活性炭カートリッジ４に接触させる累積時間Ｋを１０ｍｉｎに設定し、還流時間がＫ(Ｖ０＋Ｖ１)／Ｖ０＝１１０ｍｉｎ経過しても色度が２を超えている場合は、活性炭カートリッジ４を交換することとした。
【００３１】
中空糸膜カートリッジ６は公称孔径０．１μｍのポリスルホン製中空糸膜を使用した。中空糸膜カートリッジ６のろ過流量は５Ｌ／ｍｉｎに設定し、一次圧が１５０ｋＰａに達したとき、中空糸膜カートリッジ６を交換することとした。
【００３２】
その結果、中空糸膜カートリッジ６のろ過水の色度は活性炭カートリッジを交換することなく１００日間、常時２度であった。中空糸膜カートリッジ６の交換頻度は７５日であった。また１ヶ月間の電気代は５５円であった。
【００３３】
（比較例１）
色度センサーを用いず、タイマー制御により還流時間を毎回２０ｍｉｎに設定した以外は実施例１と全く同じにした。その結果、１ヶ月間の電気代は１４円と安価であったものの、中空糸膜カートリッジ６のろ過水の色度は初期が２度に対し、１００日後は４度と、浄水能力は良好ではなく、中空糸膜カートリッジ６の交換頻度は２０日と短かった。
【００３４】
（比較例２）
色度センサーを用いず、タイマー制御により還流時間を毎回２５０ｍｉｎに設定した以外は実施例１と全く同じにした。その結果、中空糸膜カートリッジ６のろ過水の色度は初期が１度と良かったものの、１００日後は３度であり、中空糸膜カートリッジ６の交換頻度は５５日と短かった。また１ヶ月間の電気代は３５５円と高かった。
【図面の簡単な説明】
【００３５】
【図１】本発明に好ましく用いられる浄水器の一実施態様を示す概略フロー図である。
【図２】本発明に好ましく用いられる色度センサーの一実施構造を示す図である。
【符号の説明】
【００３６】
１：貯留タンク
２：供給弁
３：水位センサー
４：活性炭カートリッジ
５：ポンプ
６：中空糸膜カートリッジ
７、８：切り替え弁
９：圧力センサー
１０：定流量弁
１１：色度センサー
１２：水道水給水栓
１３：透明配管
１４：発光ダイオード
１５：受光素子
１６：スリット
Ａ：水流
【図１】
2006159018.tif 000003
【図２】
2006159018.tif 000004